(57)【特許請求の範囲】
【請求項１】
台所の排水口のゴミ受け内に設置するヌメリ取り剤用容器において、ゴミ受けの取っ手に係合するフックを有する取り付け部と、ヌメリ取り剤を収納する収納部と蓋とが折り曲げ部により開閉可能に形成された薬剤容器と、前記蓋と前記取り付け部とをつなぐつなぎ部と、該つなぎ部の前記蓋側の端部に設けられ、折り曲げることにより前記つなぎ部を前記蓋上に重ねることを可能にするヒンジと、前記収納部の上面に設けられた第１係止片と、前記つなぎ部に設けられ前記ヒンジを折り曲げることなく直状にした状態で前記第１係止片と係合する第１係合穴と、前記蓋に設けられた第２係止穴と、前記つなぎ部に設けられ前記ヒンジを折り曲げて前記つなぎ部を前記蓋上に重ねた状態で前記第２係止穴に係合する第２係止片とを備えることを特徴とするヌメリ取り剤用容器。
【請求項２】
熱可塑性樹脂による一体成形であることを特徴とする請求項第１項記載のヌメリ取り剤用容器。
【請求項３】
前記蓋に、ヒンジによって折り曲げられて重ねられた前記つなぎ部が収納される溝を設けたことを特徴とする請求項１又は２記載のヌメリ取り剤用容器。
【請求項４】
前記取り付け部のフックが、上方へ山状に突出した形状であることを特徴とする請求項１、２又は３記載のヌメリ取り剤用容器。
【発明の詳細な説明】
【０００１】
【発明の属する技術分野】
本発明は、台所の流し台の排水口下部に設置されているゴミ受けに取り付け、ゴミ受けの周壁に付着しているヌメリを効果的に除去するヌメリ取り剤用容器に関し、詳しくはゴミ受けへの取り付けを簡便にし、使い勝手をよくしたヌメリ取り剤用容器に関する。
【０００２】
【背景技術】
従来より台所で発生する食べ残りなどの生ゴミを廃棄する物として、台所の流しのすみに設置する三角形状のバスケットがあった。
【０００３】
また、最近は、生ゴミをそのまま排水口に流しても良いように、台所の流し台の排水口下部にゴミ受け（ストレイナー）が設置されている。このストレイナーを設置することにより、生ゴミをそのまま排水口に流しても生ゴミはストレイナーにたまり、排水管中には流れ込まず、従って排水管のつまりや排水の汚染を防いでいる。
【０００４】
しかし、ストレイナー内部は、生ゴミがそのまま貯まっているため、特に夏などは腐敗しやすくまた菌が発生するので、すぐにぬるぬるして悪臭が発生する。従ってストレイナーを頻繁に掃除する必要があった。
【０００５】
上記のような問題点を解決するために、トリクロルイソシアヌル酸やブロムクロロジメチルヒダントイン等のヌメリ取り剤が提案されている。これらのヌメリ取り剤を収納する容器としては、通常第８図に示すような穴のあいた容器や第９図に示すような網状の袋に収納され、ひもでストレイナーの取っ手に取り付けるようにした構造を有している。
【０００６】
【考案が解決しようとする課題】
これらのヌメリ取り剤用容器は、ひもによりストレイナーの取っ手に結びつけて使用するため、ヌメリ取り剤用容器を取り付ける際に非常に面倒であったり、ストレイナーを掃除する場合や、薬剤を取り替える際など取り外しや取り付けの作業が多く面倒であった。従って取り付けや取り外しが簡便で、使い勝手の良いヌメリ取り剤用容器の開発が望まれていた。
本発明者は上記問題点に鑑み鋭意研究を重ねた結果、非常に使い勝手の良いヌメリ取り剤用容器の発明に至った。
【０００７】
【問題を解決するための手段】
本発明は、台所の排水口のゴミ受け内に設置するヌメリ取り剤用容器において、台所の排水口のゴミ受け内に設置するヌメリ取り剤用容器において、ゴミ受けの取っ手に係合するフックを有する取り付け部と、ヌメリ取り剤を収納する収納部と蓋とが折り曲げ部により開閉可能に形成された薬剤容器と、前記蓋と前記取り付け部とをつなぐつなぎ部と、該つなぎ部の前記蓋側の端部に設けられ、折り曲げることにより前記つなぎ部を前記蓋上に重ねることを可能にするヒンジと、前記収納部の上面に設けられた第１係止片と、前記つなぎ部に設けられ前記ヒンジを折り曲げることなく直状にした状態で前記第１係止片と係合する第１係合穴と、前記蓋に設けられた第２係止穴と、前記つなぎ部に設けられ前記ヒンジを折り曲げて前記つなぎ部を前記蓋上に重ねた状態で前記第２係止穴に係合する第２係止片とを備えるヌメリ取り剤用容器である。また、ヌメリ取り剤用容器は熱可塑性樹脂による一体成形にしてもよく、前記薬剤容器の蓋に、ヒンジによって折り曲げられて重ねられた前記つなぎ部が収納される溝を設けてもよい。また、前記取り付け部のフックが、上方へ山状に突出した形状である構成としても良い。
【０００８】
【発明の実施の形態】
以下に本発明の実施の形態を図面に従って詳細に説明する。
第１図は本発明のヌメリ取り剤用容器の第１の実施例を示す斜視図、第２図は本発明のヌメリ取り剤用容器の第１の実施例の蓋を開けた状態を示す斜視図である。
本発明のヌメリ取り剤用容器１は取り付け部２とつなぎ部３と薬剤容器４からなり、ポリプロピレン樹脂により一体的に成形されている。
【０００９】
取り付け部２は、図４に示す様に、基盤２１と、上方へ山状に突出し基盤部２１と一体に成形されているフック２２を有し、フック２２のつなぎ部３方向にはストレイナーの取っ手に取り付ける際の案内用隙間２３があいている。
【００１０】
つなぎ部３は取り付け部２と一体に成形されており、つなぎ部３の一部にはヒンジ３３が形成されており、このヒンジ３３によって折り曲げ可能になっている。
また、つなぎ部３の取り付け部２方向には、伸ばした状態で使用した場合にヒンジ３３によって不安定になる薬剤容器４を安定させる目的で、後述する薬剤容器４の収納部６に設けられた第１係止片６１と係合するための第１係合穴３２と、ヒンジ３３によって折り曲げたときに薬剤容器４の蓋５に設けられた第２係止穴５１に係合する第２係止片３１が設けられている。
【００１１】
薬剤容器４は、つなぎ部３と一体成形され、蓋５と収納部６とが折り曲げ部７により開閉可能に形成されている。
蓋５には、複数の穴８、８・・・が開けられており、つなぎ部３のヒンジ３３によって折り曲げられたとき、つなぎ部３が収納されるように溝１１が形成され、つなぎ部３に設けられた第２係止片３１と係合する第２係止穴５１が形成されている。また、蓋５を閉じたときに容易に蓋５が開かないようにするために収納部６に設けられた第３係止穴６２と係合する第３係止片５２が配設されている。
収納部６内部には、底面には複数の穴８、８・・・が、側面には複数のスリット９、９・・・が設けられている。また、収納部６の上面には、前述したつなぎ部３に設けられた第１係止穴３２に係合される第１係止片６１と、蓋５に設けられた第３係止片５２が係合される第３係止穴６２が形成されている。
【００１２】
以上のように成形された本発明のヌメリ取り剤用容器は、販売時には図３に示すように、つなぎ部３をヒンジ３３で折り曲げ、該つなぎ部３を薬剤容器４の蓋５上に重ねて溝１１に収納し、第２係止片３１を蓋５の第２係止穴５１に装着された状態で販売されるため、パッケージが必要以上にかさばらず、包装をコンパクトにすることができる。また、本発明のヌメリ取り剤用容器を使用する場合は、取り付け部２の基盤２１とフック２２の案内用隙間２３からストレイナーの取っ手を差し込むことだけの簡単な操作で取り付けることができる（図５参照）。
【００１３】
また、本発明のヌメリ取り剤用容器は、取り付けるストレイナーの深さにあわせて長さを変えることができる長さ調節機構を有する。すなわち、ストレイナーの深さが浅い場合は、つなぎ部３を薬剤容器４の溝部１１に入れたままで使用し、ストレイナーの深さが深い場合はつなぎ部３を溝１１から取り外して薬剤容器４の収納部６に設けられた第１係止片６１をつなぎ部５に設けられた第１係止穴３２ に係合し伸ばし直状にした状態で使用することができる（図１参照）。
【００１４】
このようにして本発明のヌメリ取り剤用容器が取り付けられたストレイナーは、台所の流し台の排水口下部に設置され、排水口に水を流すことにより流した水が薬剤容器４に設けられた複数の穴８、８・・・及びスリット９、９・・・から容器内部に流れ込み、薬剤容器４中の収納されたヌメリ取り剤１０を溶かし再び穴８、８・・・及びスリット９、９・・・から外部に流出する。流出したヌメリ取り剤はストレイナーと接触し、ストレイナーのヌメリを除去する。
【００１５】
第６図は本発明のヌメリ取り剤用容器の取り付け部における他の実施例を示す斜視図である。
取り付け部１２２は薄肉のポリエチレン等で変形可能に成形され、取り付け部１２２の先端方向に設けられた凸状雄部１２３と凸状雄部１２３からつなぎ部１２４方向に、凸状雄部１２３が係合するように複数個形成された凹状雌部１２５とから構成される。
使用に際しては、ストレイナーの取っ手に取り付け部２２を巻き付け、ストレイナーの深さに応じて凸状雄部１２３を適する位置の凹状雌部１２５に挿入することにより取り付けられる。
【００１６】
第７図は本発明のヌメリ取り剤用容器の取り付け部における他の実施例を示す斜視図である。
取り付け部２２２は薄肉のポリエチレン等で変形可能に成形され、取り付け部２２２の先端部分に設けられた碇状雄部２２３と碇状雄部２２３からつなぎ部２２４方向に、碇状雄部２２３が係合するように複数個形成された挿入孔２２５とから構成される。
使用に際しては、ストレイナーの取っ手に取り付け部２２２を巻き付け、ストレイナーの深さに応じて碇状雄部２２３を適する位置の挿入口２２５に挿入することにより取り付けられる。
【００１６】
【発明の効果】
本発明のヌメリ取り剤用容器は、ゴミ受けの取っ手に係合するフックを有する取り付け部と、ヌメリ防止薬剤を収納する薬剤容器と、該薬剤容器と前記取り付け部とをつなぐつなぎ部とから構成されているため、ストレイナーへの取り付けや取り外しが簡単にでき非常に使い勝手がよいものである。
また、つなぎ部の端部に設けられ、折り曲げることによりつなぎ部を薬剤容器の蓋上に重ねることを可能にするヒンジと、薬剤容器が有する収納部の上面に設けられた第１係止片と、前記つなぎ部に設けられ前記ヒンジを折り曲げることなく直状にした状態で前記第１係止片と係合する第１係合穴と、前記薬剤容器の蓋に設けられた第２係止穴と、前記つなぎ部に設けられ前記ヒンジを折り曲げて前記つなぎ部を前記蓋上に重ねた状態で前記第２係止穴に係合する第２係止片とを備えることから、ゴミ受けの深さに応じて長さを調節でき、異なる種類のストレイナーにも使用できるので、非常に汎用性が高い。また、販売時のパッケージをコンパクトにすることができるとともに、ストレイナーへの取り付けや取り外しが簡単にでき非常に使い勝手がよいものであると同時に、取り付けるストレーナーの深さに応じて長さを簡単に調節することができる。
また、本発明のヌメリ取り剤用容をは熱可塑性樹脂で一体成形されているので、ひとつの金型で製造できるため作業性が向上し、部品点数も減少するので、非常に安価に製造することができる。
【図面の簡単な説明】
【図１】本発明のヌメリ取り剤用容器の第１の実施例を示す斜視図。
【図２】本発明のヌメリ取り剤用容器の第１の実施例の蓋を開けた状態を示す斜視図。
【図３】本発明のヌメリ取り剤用容器の第１の実施例をヒンジによって折り畳んだ状態を示す斜視図。
【図４】本発明のヌメリ取り剤用容器の第１の実施例の取り付け部を示す側面図。
【図５】本発明のヌメリ取り剤用容器の第１の実施例をストレイナーに取り付けた状態を示す斜視図。
【図６】本発明のヌメリ取り剤用容器の取り付け部における他の実施例を示す斜視図
【図７】本発明のヌメリ取り剤用容器の取り付け部における他の実施例を示す斜視図
【図８】従来のヌメリ取り剤用容器
【図９】従来のヌメリ取り剤用容器
【符号の説明】
１                    ヌメリ取り剤用容器
２、１２２、２２２    取り付け部
２１                  基盤
２２                  フック
２３                  案内用隙間
３、１２４、２２４    つなぎ部
３１                  第２係止片
３２                  第１係合穴
３３                  ヒンジ
４                    薬剤容器
５                    蓋
５１                  第２係止穴
５２                  第３係止片
６                    収納部
６１                  第１係止片
６２                  第３係止穴
７                    折り曲げ部部
８                    穴
９                    スリット
１０                    ヌメリ取り剤
１１                    溝
１２３                  凸状雄部
１２５                  凹状雌部
２２３                  碇状雄部
２２５                  挿入孔
【図１】
0003712763.tif 000002
【図２】
0003712763.tif 000003
【図３】
0003712763.tif 000004
【図４】
0003712763.tif 000005
【図５】
0003712763.tif 000006
【図６】
0003712763.tif 000007
【図７】
0003712763.tif 000008
【図８】
0003712763.tif 000009
【図９】
0003712763.tif 000010